(57)【特許請求の範囲】
【請求項１】
レーザビ一ムを出射するレーザ発振器と、
前記レーザ発振器と当該レーザ発振器から出射される前記レーザビームが集光される光記録媒体との間の光路中にあって、前記集光の状態を変化させる変調手段と、
前記光記録媒体の再生時に前記光記録媒体に含まれるセクタの読取りが正常かどうかを検知して検知信号を出力する検知手段と、
前記検知手段が読取り不能と検知した場合、前記変調手段に入力する変調信号をあらかじめ定めておいた範囲で変化させ、かつ、所定回数以内でリトライ再生を行う手段と、
前記所定回数をオーバーしたときは異常セクタと判断する手段とを備えることを特徴とする光情報再生装置。
【請求項２】
変調手段は、レーザビームの透過率または位相を変化可能な複数のセグメントからなる変調板を有することを特徴とする請求項１に記載の光情報再生装置。
【請求項３】
変調手段は、セグメントに分割された液晶スイッチであることを特徴とする請求項１又は請求項２記載の光情報再生装置。
【請求項４】
レーザ発振器の後段に、当該レーザ発振器から出射されるレーザビームをコリメートビームに変換するコリメートレンズを更に備え、該コリメートレンズの後段に変調手段を配設する請求項１から請求項３のうちのいずれか１項記載の光情報再生装置。
【請求項５】
レーザ発振器からレーザビームを出射し、
光記録媒体上に集光された前記レーザビームを用いて、当該光記録媒体上より再生信号を得、
該得られた再生信号に基づいて前記光記録媒体に含まれるセクタの読取りが正常かどうかを検知し、
前記セクタの読取りが不能と検知された場合、前記レーザ発振器と前記光記録媒体との間の光路中に位置し、集光スポットの強度分布の制御を行う変調手段に入力される変調信号をあらかじめ定めておいた範囲で変化させ、かつ、所定回数以内でリトライ再生が行われ、
前記所定回数をオーバーしたときは異常セクタと判断される
ことを特徴とする光情報再生方法。
【請求項６】
集光の状態の変化を、レーザビームの透過率または位相を変化することによって行うことを特徴とする請求項５記載の光情報再生方法。
【請求項７】
集光の状態の変化を、レーザビームの２次元的に分割された複数の領域における透過率または位相を変化することによって行うことを特徴とする請求項６記載の光情報再生方法。
【請求項８】
レーザ発振器の後段にコリメートレンズを更に備え、前記レーザ発振器から出射されるレーザビームをコリメートビームに変換し、当該コリメートビームの２次元的に分割された複数の領域における透過率または位相を変化することによって集光の状態を変化させることを特徴とする請求項５から請求項７のうちのいずれか１項記載の光情報再生方法。
【請求項９】
レーザビ一ムを出射するレーザ発振器と、
前記レーザ発振器と当該レーザ発振器から出射される前記レーザビームが集光される光記録媒体との間の光路中にあって、前記集光の状態を変化させる変調手段と、
前記光記録媒体のコントロールトラック情報からトラックピッチを読み取り、当該トラックピッチに適合した集光スポット径が設定されるように、前記変調手段を制御する制御手段と、
前記光記録媒体の再生時に前記光記録媒体に含まれるセクタの読取りが正常かどうかを検知して検知信号を出力する検知手段と、
前記検知手段が読取り不能と検知した場合、前記変調手段に入力する変調信号をあらかじめ定めておいた範囲で変化させ、かつ、所定回数以内でリトライ再生を行う手段と、
前記所定回数をオーバーしたときは異常セクタと判断する手段とを備えることを特徴とする光情報再生装置。
【請求項１０】
レーザ発振器からレーザビームを出射し、
光記録媒体上に集光された前記レーザービームを用いて、前記光記録媒体のコントロールトラック情報からトラックピッチを読み取り、
当該トラックピッチに適合した集光スポット径が設定されるように、前記レーザ発振器と前記光記録媒体との間の光路中に位置する変調手段を制御し、
前記光記録媒体上より再生信号を得、
該得られた再生信号に基づいて前記光記録媒体に含まれるセクタの読取りが正常かどうかを検知し、
前記セクタの読み取りが不能である場合、前記変調手段に入力する変調信号をあらかじめ定めておいた範囲で変化させ、かつ、所定回数以内でリトライ再生を行い、
前記所定回数をオーバーしたときは異常セクタと判断されることを特徴とする光情報再生方法。
【発明の詳細な説明】
【０００１】
【発明の属する技術分野】
光ディスク等の光記録媒体にレーザビームの集光スポットを導く光情報再生装置および光情報再生方法に関するものである。
【０００２】
【従来の技術】
光ディスクの記録密度を向上し、大容量化する技術は従来から盛んに検討されてきた。そして、記録密度を向上するために記録・再生用のレーザ光ビームの集光スポット径を縮小することは非常に有効であり、平均面記録密度は、概ね集光スポット径ｄSPOTの自乗に反比例して増加することが知られている。集光スポット径ｄSPOTは次式（１）に示すように、使用するレーザの波長λに比例し、集光用の対物レンズの開口数ＮＡに反比例する。
ｄSPOT＝ｋ・（λ／ＮＡ）              ‥‥（１）
但し、比例定数ｋはレンズに入射する光波の波面分布によって決まる。式（１）の関係から、集光スポット径ｄSPOTを縮小するために３通りの方法が採られている。１つは、使用するレーザの短波長化、もう１つは、集光させる対物レンズの開口数の増加、あと１つは、集光光学系での超解像の利用、である。
【０００３】
以下、集光光学系に超解像を利用して小さな集光スポット径を得る例について説明する。この例は従来いくつか発表されており、例えば、山中等による文献（１）「超解像による光ディスクの高密度記録」（『光学』第１８巻、第１２号（１９８９年））や、Ｈ．アンドウ（Ｈ．Ａｎｄｏ）による文献（２）“フェイズ  シフティング  アポダイザー  オブ  スリー  オア  モア  ポーションズ”  （ジャパニーズ・ジャーナル  オブ  アプライド  フィジックス  第３１巻（１９９２））（“Ｐｈａｓｅ−Ｓｈｉｆｔｉｎｇ  Ａｐｏｄｉｚｅｒ  ｏｆ  Ｔｈｒｅｅ  ｏｒ  Ｍｏｒｅ  Ｐｏｒｔｉｏｎｓ”（Ｊｐｎ．Ｊ．Ａｐｐｌ．Ｐｈｙｓ．，Ｖｏｌ．３１（１９９２）））等がある。これらの文献に述べられている方法は、いずれも同様な原理に基づいて図３８乃至図４０に示すように集光スポット径を縮小している。
【０００４】
図３８に従来の超解像光ヘッドの光学系の構成例を示す。同図において、１０１はレーザ発振器、１０２はコリメートレンズ、１０３はビーム整形プリズム、１０５は対物レンズであり、１０６は記録媒体、１０７は遮光板である。
【０００５】
次に動作について説明する。光源であるレーザ発振器１０１からのレーザ光は、コリメートレンズ１０２とビーム整形プリズム１０３を介してコリメートされ、平行光になる。平行光になったレーザビーム１０４は対物レンズ１０５によって記録媒体１０６の記録面上に焦点を合わせて集光される。ここで、遮光板１０７がレーザビーム１０４中に置かれ、レーザビーム１０４の一部を遮光している。このときのレーザビーム１０４の集光スポット径ｄSPOTは遮光板１０７の位置と形状、すなわち、幅と長さによって変化する。
【０００６】
以下、図３９に基づいて超解像による集光スポット径縮小の原理図を説明する。図中に示すように遮光板１０７の長さがコリメートビーム１０４のビーム径Ｄより長い場合、遮光板１０７の幅をΔＷとすると、遮光板の幅方向の集光スポット径ｄSPOTｔは、ビーム径Ｄに対する遮光板１０７の幅ΔＷの比で決まる。そして、遮光板１０７の長さ方向の集光スポット径ｄSPOTｒは、ほとんど幅ΔＷとは無関係である。ここで、幅ΔＷが大きくなるにつれて集光スポットにはサイドロープ１０８が高く出てくるが、メインローブ１０９の集光スポット径ｄSPOTｔは小さくなる。
【０００７】
図４０にΔＷ／Ｄと集光スポットｄSPOTｔの関係を示す。同図に示すようにΔＷ／Ｄを大きくとるほど集光スポット径ｄSPOTｔが縮小され、同時にサイドローブの強度が増加することがわかる。サイドローブの増加はクロストーク増大を招くので、あまり大きく許容することができない。ここで、遮光板１０７を使用しない場合ΔＷ／Ｄ＝０となり、このときの集光スポット径をｄSPOT０と設定すると、サイドローブの強度をメインローブの０．１倍以下の範囲で許容する場合、集光スポット径ｄSPOTｔを、ｄSPOT０に比べて１０％程度縮小可能なことがわかる。このように、超解像光ヘッドにおいてはコリメートビームの中央付近を遮断することによって、レーザ波長λとレンズ開口数ＮＡを一定のまま、集光スポット径を縮小することが可能である。なお、遮光板１０７の向きを同一面内で９０度回転したときは、集光スポット径ｄSPOTｔはｄSPOT０のままになり、ｄSPOTｒの方が縮小される。
【０００８】
このように、超解像の原理は、対物レンズ１０５の入射面上でのコリメートビーム１０４の波面に変調を与えることによって集光スポットの強度分布を変化させることができる、という収束光波の性質を利用したものである。すなわち、図３９に示した遮光板１０７は、対物レンズ１０５の入射面上でのコリメートビーム１０４の振幅分布を、中央付近で０にするように空間変調したことに相当する。従って、遮光された部分のレーザパワーを損失する。
【０００９】
また、超解像の原理に基づけば、対物レンズ１０５の入射面上でのコリメートビーム１０４の位相分布に変調を与えることによって集光スポットの強度分布を変化させることも可能である。つまり、対物レンズ１０５の入射面上での位置に応じて適切な位相変移を与えると、集光スポット形状を整形することができる。前述した文献（２）はこの方法をとっている。この場合にはコリメートビーム１０４は遮光されないので、遮光によるレーザパワーの部分的な損失がない。
【００１０】
さらに、透過光に位相変調を与えるために屈折率に分布を持たせる方法が知られている。波長λの光が厚みＬの変調板を透過するとき、変調板の２つの部分で透過光の感受する屈折率に差Δｎがあると、両部分を通過した光ビームには次式（２）で表わされる位相差Δφが生じる。
Δφ＝２π（Ｌ／λ）・Δｎ              ‥‥（２）
これにより、透過光の位相が変調されることになる。尚、透過光の位相変調は屈折率差によって光路長に差をつける方法に限らず、変調板の厚みを変化させて光路長に差をつけても同様に透過光の位相変調が可能である。
【００１１】
ところで、光ディスクの記録密度は、記録トラックに平行な方向の記録密度（すなわち線記録密度ＢＰＩ）と、記録トラックに直行する方向の記録密度（すなわちトラック密度ＴＰＩ）との積で表わされる。従って、光ディスクの面記録密度を向上するためにはＢＰＩ，ＴＰＩのそれぞれを向上させればよい。そして、図３９の従来例はＢＰＩの向上を図るものであった。ここで、例えば図３９に示す遮光板１０７の代りに同心円状で中央部のみ遮光する遮光板を使用すれば、集光スポット形状は同心円状になり、メインローブ１０９の周囲をサイドローブ１０８が取り巻く形になる。この場合、メインローブ１０９の集光スポット径はやはり縮小される。この集光スポットを用いるとＢＰＩとＴＰＩを同時に向上することが可能である。
【００１２】
以上に述べたように、超解像による集光スポット径の縮小は記録密度向上に対して有用な技術であり、従来の技術によれば、透過光の振幅や位相を遮光板や位相板など固定的な光学素子で変化させて、一定の集光スポット径を得ることができる。しかしながら、従来の技術では一つの集光装置で超解像のパラメータ、すなわち、対物レンズの入射面上でのコリメートビームの波面に与える変調量を動作中に変更して、光ディスク装置の集光スポット径、もしくは、集光スポット形状を動的に変化させることはできない。
【００１３】
【発明が解決しようとする課題】
一方、現在市場では、ＩＳＯ規格などで標準化された光ディスク規格に準拠した光ディスクが利用されている。これらの多くのディスクは、トラックピッチが１．６（μｍ）、線記録密度が２５（ｋｂｉｔ／ｉｎｃｈ）である。また、大容量光ディスクの開発もすすめられており、従来よりも記録密度を向上した大容量の光ディスクが実用化されるとトラックピッチは縮小され、線記録密度は増加される。従って、情報の記録再生には、従来よりも小さな集光スポット径が必要になり、集光スポット径は短波長レーザや開口数の大きい対物レンズ、あるいは前述した超解像を適用して得られる。このときの集光スポット径は、当然ながら新たに作られた大容量光ディスクのトラックピッチや線記録密度に適合するように設計される。
【００１４】
ここで問題となるのは、光ディスク駆動装置の互換性である。すなわち、光ディスク駆動装置に、新たに開発された大容量の光ディスクと従来の規格の光ディスクとの両方を駆動できる機能を持たせる場合、次の問題がある。１つは、トラッキングサーボの問題である。トラッキングのためのサーボセンサ信号は、光ディスク上の案内溝すなわちグループとランドの周期構造による集光スポットの回析現象に基づいて検出される。したがって、狭小トラックピッチに適合するように集光スポットを設計すると、従来の幅広トラックピッチの光ディスクを駆動する場合にトラッキング用のサーボエラー信号を十分に得ることができないという問題点がある。
【００１５】
次に、エンボス信号読取り時の問題である。情報が光ディスク上に位相ピットの形で記録されているエンボス信号に対して、信号再生は、集光光が位相ピットで回析を受けることにより、受光される反射光量がピットの有無に応じて変化する、という原理に基づいて行われる。したがって、集光スポット径が位相ピットに対して小さすぎると、回析による変化量が十分でなくなり、エンボス信号の再生振幅が減少して読取り精度の低下や読取り不能が生じるという問題点がある。
【００１６】
最後に、書換え型の光ディスクにおける、媒体上の情報を消去する時の問題がある。光磁気媒体や相変化媒体など集光光の熱エネルギーによって記録や消去を行う光ディスクでは、幅広トラックの低密度媒体に既に記録されている信号を小径の集光スポットで消去しようとすると、消去できる幅が狭いために記録マークを全幅にわたって消去できず、消し残りが出る。これは、繰り返し記録するときにクロストークとして残り、再生誤りの頻度が高くなるという問題点がある。
【００１７】
この発明は、上記のような問題点を解消するためになされたもので、光情報再生装置および光情報再生方法において、信号の読取り不能状態を回避できる可能性が増加し、データ保存の信頼性の向上を図ることを目的とする。
【００１８】
【課題を解決するための手段】
この発明に係る光情報再生装置は、レーザ発振器と当該レーザ発振器から出射される前記レーザビームが集光される光記録媒体との間の光路中にあって、前記集光の状態を変化させる変調手段と、前記光記録媒体の再生時に前記光記録媒体に含まれるセクタの読取りが正常かどうかを検知して検知信号を出力する検知手段と、前記検知手段が読取り不能と検知した場合、前記変調手段に入力する変調信号をあらかじめ定めておいた範囲で変化させ、かつ、所定回数以内でリトライ再生を行う手段と、前記所定回数をオーバーしたときは異常セクタと判断する手段とを備えたものである。
【００１９】
この発明に係る光情報再生装置における変調手段は、レーザビームの透過率または位相を変化可能な複数のセグメントからなる変調板を有するものである。
【００２０】
この発明に係る光情報再生装置は、変調手段は、セグメントに分割された液晶スイッチである。
【００２１】
この発明に係る光情報再生装置は、レーザ発振器の後段に、当該レーザ発振器から出射されるレーザビームをコリメートビームに変換するコリメートレンズを更に備え、該コリメートレンズの後段に変調手段を配設するものである。
【００２２】
この発明に係る光情報再生方法は、レーザ発振器からレーザビームを出射し、光記録媒体上に集光された前記レーザビームを用いて当該光記録媒体上より再生信号を得、該得られた再生信号に基づいて前記光記録媒体に含まれるセクタの読取りが正常かどうかを検知し、前記セクタの読取りが不能と検知された場合、前記レーザ発振器と前記光記録媒体との間の光路中に位置し、集光スポットの強度分布の制御を行う変調手段に入力される変調信号をあらかじめ定めておいた範囲で変化させ、かつ、所定回数以内でリトライ再生が行われ、前記所定回数をオーバーしたときは異常セクタと判断するものである。
【００２３】
この発明に係る光情報再生方法は、集光の状態の変化を、レーザビームの透過率または位相を変化することによって行うものである。
【００２４】
この発明に係る光情報再生方法は、集光の状態の変化を、レーザビームの２次元的に分割された複数の領域における透過率または位相を変化することによって行うものである。
【００２５】
この発明に係る光情報再生装置は、レーザ発振器の後段にコリメートレンズを更に備え、前記レーザ発振器から出射されるレーザビームをコリメートビームに変換し、当該コリメートビームの２次元的に分割された複数の領域における透過率または位相を変化することによって集光の状態を変化させるものである。
【００２６】
この発明に係る光情報再生装置は、レーザ発振器と当該レーザ発振器から出射される前記レーザビームが集光される光記録媒体との間の光路中にあって、前記集光の状態を変化させる変調手段と、前記光記録媒体のコントロールトラック情報からトラックピッチを読み取り、当該トラックピッチに適合した集光スポット径が設定されるように、前記変調手段を制御する制御手段と、前記光記録媒体の再生時に前記光記録媒体に含まれるセクタの読取りが正常かどうかを検知して検知信号を出力する検知手段と、前記検知手段が読取り不能と検知した場合、前記変調手段に入力する変調信号をあらかじめ定めておいた範囲で変化させ、かつ、所定回数以内でリトライ再生を行う手段と、前記所定回数をオーバーしたときは異常セクタと判断する手段とを備えるものである。
【００２７】
この発明に係る光情報再生方法は、レーザ発振器からレーザビームを出射し、光記録媒体上に集光された前記レーザービームを用いて、前記光記録媒体のコントロールトラック情報からトラックピッチを読み取り、当該トラックピッチに適合した集光スポット径が設定されるように、前記レーザ発振器と前記光記録媒体との間の光路中に位置する変調手段を制御し、前記光記録媒体上より再生信号を得、該得られた再生信号に基づいて前記光記録媒体に含まれるセクタの読取りが正常かどうかを検知し、前記セクタの読み取りが不能である場合、前記変調手段に入力する変調信号をあらかじめ定めておいた範囲で変化させ、かつ、所定回数以内でリトライ再生を行い、前記所定回数をオーバーしたときは異常セクタと判断するものである。
【００２８】
【発明の実施の形態】
実施の形態１．
以下、この発明の実施の一形態について説明する。図１はこの発明の実施の一形態による光ビーム集光装置の全体図である。図において１１０は制御手段、１１１は変調手段である。尚、図１上で図３８に示す従来の光ビーム集光装置と同一類似部材については同一符号を付して説明を省略する。
【００２９】
次に動作について説明する。光源であるレーザ発振器１０１からのレーザ光は、コリメートレンズ１０２とビーム整形プリズム１０３を介してコリメートされ、平行光になる。平行光になったコリメートビーム１０４は対物レンズ１０５を介して記録媒体（光記録媒体）１０６の記録面上に焦点を合わせて集光される。ここで、変調手段１１１がコリメートビーム１０４中に設けられていて、変調手段１１１はコリメートビーム１０４の一部を遮光している。
【００３０】
以下、変調手段１１１について説明する。図２は変調手段１１１の構成原理の実施の形態１を示す。図において、１１２は変調手段１１１のビーム透過面中央部、１１３はその側部である。そして、中央部（中央部に位置決めされた変調部）１１２は光透過率が外部からの信号によって制御可能に構成されている。次に動作について説明する。制御手段１１０を操作して中央部１１２の光透過率を０、すなわち遮光状態にしたときは、図３８の従来の遮光板１０７と同様に１方向に径を縮小した超解像スポットを得る。また、制御手段１１０を操作して中央部１１２の光透過率を１、すなわち素通しにしたときは、超解像を用いない通常の集光スポットを得る。
【００３１】
これにより、記録密度の高い媒体に対しては小径の集光スポットを用いて駆動し、記録密度の低い媒体に対しては通常の集光スポットを用いて駆動することができる。従って、従来規格の媒体と大容量媒体を同一の光ヘッドで扱うことができる。
【００３２】
実施の形態２．
図３に変調手段１１１の構成原理の実施の形態２を示す。実施の形態１においては中央部１１２のみの光透過率を制御可能としたが、実施の形態２においては中央部１１２の光透過率と側部１１３，１１３の光透過率を制御手段１１０からの信号によって制御可能とした。これにより、実施の形態２は実施の形態１に比べて、中央部１１２の光透過率を１、側部１１３，１１３の光透過率を０とすることにより、通常の集光スポットより１方向の径が大きい集光スポットを得ることができる点が異なる。実施の形態２の変調手段１１１によれば、超解像を用いずに短波長レーザ等の使用で大容量媒体を駆動する光ヘッドを使用して、記録密度の低い媒体を駆動するときに、光ディスクの半径方向にスポットを拡大して幅広トラックピッチに対応するのに有効である。
【００３３】
実施の形態３．
図４に変調手段１１１の構成原理の実施の形態３を示す。実施の形態２においては光透過率を制御可能としたが、実施の形態３においては変調手段１１１の中央部１１２の透過光に対する屈折率と側部（その他の部分に位置決めされた変調部）１１３，１１３の透過光に対する屈折率を制御手段１１０からの信号によって制御可能とした。これにより、実施の形態２の場合透過光の振幅分布に変調を与えたが、実施の形態３では透過光の位相分布に変調を与える。この点で実施の形態３は実施の形態２と異なる。従って、実施の形態３は実施の形態２と同様に集光スポット径の縮小や拡大が可能であり、さらに、実施の形態２では達成することができない遮光によるパワー損失を防止することができる。
【００３４】
尚、実施の形態３では、透過光の位相分布に変調を与える場合だけを説明しているが、これに限らず、透過光の振幅分布と位相分布の両方を同時に変調すればより良い集光スポット形状を得られることは、言うまでもない。
【００３５】
実施の形態４．
実施の形態１乃至３においては変調手段１１１を３分割した場合について説明したが、変調手段１１１の分割パターンは、３分割に限らない。例えば、図５に示す実施の形態４のようにコリメートビーム１０４と同心円をなす円状の内部１４１とリング状の外部１４２に２分割してもよい。このように２分割された内部１４１及び外部１４２の光透過率や屈折率を制御手段１１０で制御して全方向に径を縮小した超解像スポット、あるいは逆に拡大した集光スポットを得ることができる。
【００３６】
図６は変調手段１１１を略Ｘ状に４分割する例を示す。この場合、対角する２素子１４３と１４５又は１４４と１４６に同じ変調量を発生するように制御信号を与えると、１方向には径を縮小し、これと直交する方向には径を拡大した集光スポットを得ることができる。
【００３７】
図７は図５及び図６の実施の形態を組み合わせた例を示す。図７の実施の形態によれば、図５，図６の実施の形態において可能とされた変調手段１１１の制御を組み合わせることができる。従って、図５，図６の実施の形態で述べたような形で集光スポット形状の設定を柔軟に変更できる。従って、図７の実施の形態によれば、各種のトラック密度や記録密度の媒体に最適な条件を得ることができる。
【００３８】
実施の形態５．
実施の形態１乃至４においては変調手段１１１の光透過率や屈折率を制御してコリメートビーム１０４を変調する場合について説明したが、図８に示す実施の形態５のように変調手段１１１の変調板２１１を機械的に回転させてコリメートビーム１０４を変調してもよい。以下、図８に基づいて実施の形態５を説明する。同図に示すように変調板２１１は円板状に形成されていて、さらに変調板２１１の厚みはビーム幅に対して無視できるように設定されている。この変調板２１１は回転軸２１１ａ，２１１ａを介してコリメートビーム１０４の光軸上に回動自在に支持されている。尚、変調板２１１の回動は図１に示す制御手段１１０で制御される。
【００３９】
この変調板２１１は図９に示すように中央部２１１ｂ及び側部２１１ｃ，２１１ｃから構成されている。中央部２１１ｂは光透過率が０に設定されていて、側部２１１ｃ，２１１ｃは光透過率が１に設定されている。従って、変調板２１１をコリメートビーム１０４に対して直角に向けたとき、コリメートビーム１０４の中央部が遮光される。一方、変調板２１１をコリメートビーム１０４に対して平行に向けたとき、コリメートビーム１０４は変調されずに通過する。これにより、実施の形態１と同様の効果を得ることができる。
【００４０】
図１０に示す変調板２１１は、図５に示す実施の形態４と同様に分割されていて、光透過率が斜線部２１１ｂで０、他の部分２１１ｃで１に設定されている。従って、変調板２１１を回動させることにより、実施の形態４と同様の効果を得る。
【００４１】
図１１に示す変調手段１１１は、回転軸２１１ａ，２１１ａを共用して変調板２１２と変調板２１３を直角に組み合わせたものである。従って、一方の変調板がコリメートビーム１０４に対して垂直、他方が平行になるように変調手段１１１の回転角度を切り替えることにより、２種類の超解像効果、あるいは、ビーム径の縮小と拡大を切り替えることができる。
【００４２】
このように実施の形態５によれば、記録密度の高い媒体に対しては小径の集光スポットを用いて駆動し、記録密度の低い媒体に対しては通常の集光スポットを用いて駆動することができる。従って、従来規格の媒体と大容量媒体を同一の光ヘッドで扱うことができる。あるいは、記録密度の低い媒体を駆動するときに、光ディスクの半径方向にスポットを拡大して幅広トラックピッチに対応するのに有効である。
【００４３】
実施の形態６．
実施の形態５では変調手段１１１の変調板２１１を回動させてレーザビームを変調する場合について説明したが、変調手段１１１を図１２に示すように形成してもよい。同図に示すように変調手段２２１は中空円筒状、または、中空角筒状に形成されている。これらの変調手段２２１はいづれもコリメートビーム１０４を遮光する位置に回動自在に支持されている。変調手段２２１の光透過率の具体的なパターン例を図１３と図１４に示す。
【００４４】
図１３に示す変調手段２２１は実施の形態１に述べた原理と同じ原理で超解像集光スポットを得るものである。すなわち、光透過率が斜線部分で０、他の部分で１に設定されていて、変調板２２２をコリメートビーム１０４に対して垂直に向けたとき、ビーム中央部が遮光されて縮小された集光スポット径を得る。また、変調手段２２１を回動して変調板２２３をコリメートビーム１０４に対して垂直に向けたとき、ビームは周辺部分が遮光されて拡大された集光スポット径を得る。
【００４５】
図１４に示す変調手段２２１は、円筒の周面に変調パターンをつけたものである。尚、変調手段２２１の形状は、これらの例には限らない。
【００４６】
実施の形態７．
実施の形態５では変調板２１１を回転軸２１１ａ，２１１ａを中心に回動する場合について説明したが、図１５に示すように実施の形態５と同様の機能を備えた上で、変調手段２３１をコリメートビーム１０４の光軸を中心に回動させる機能を付加してもよい。この場合、実施の形態７の透過光変調パターンを実施の形態５に示した透過光変調パターンと同一に形成すると、実施の形態５と同様にビームの集光スポットを１方向に縮小することができ、さらに変調手段２３１をコリメートビーム１０４の光軸を中心に回動して集光スポットをあらゆる方向に縮小することができる。
【００４７】
これを利用して、シーク中はディスクの半径方向の集光スポット径を小さくしてサーボ信号を大きく得て、再生中はディスクの周方向の集光スポット径を小さくしてデータ再生信号を大きく得る、という動作が実現できる。
【００４８】
実施の形態８．
変調手段を機械的に駆動する光学素子で構成する実施の形態８を図１６に示す。同図に示すように実施の形態８の変調手段は２枚の変調板２４１，２４２で構成されている。変調板２４１，２４２は、ビーム幅に対して無視できる厚みをもち、軸２４１ａ，２４２ａを中心に回転する機能を持つ。この場合、変調板２４１，２４２の回転軸２４１ａ，２４２ａをコリメートビーム１０４の両側に支持して、変調板２４１，２４２の互いの端縁が中央で合うようにする。
【００４９】
次に動作について説明する。先ず、変調板２４１，２４２の向きをコリメートビーム１０４に平行にしてコリメートビーム１０４に変調をかけないモードに設定することができる。また、変調板２４１，２４２の一方の半面をコリメートビーム１０４が透過するように位置決めしてコリメートビーム１０４に第１の変調をかけるモードに設定することができる。さらに、他方の変調板２４１，２４２の他の半面をコリメートビーム１０４が透過するように位置決めしてコリメートビーム１０４に第２の変調をかけるモードに設定することができる。このように実施の形態８によれば、少なくとも３つの変調モードを設定できる。尚、２枚の変調板２４１，２４２は、所望の集光スポット形状を得るように、同期して回転させてもよく、また独立に回転させてもよい。
【００５０】
実施の形態９．
変調手段を機械的に駆動する光学素子で構成する実施の形態９を図１７に示す。同図に示すように実施の形態９の変調手段はコリメートビーム１０４の進行方向に対して垂直方向の面内で１次元または２次元方向に移動する平面状の変調板２５１を備えている。すなわち、実施の形態９の変調板２５１は平面移動で変調パターンが選択される。尚、変調板２５１の光透過率の具体的なパターン例を図１８と図１９に示す。
【００５１】
図１８に示す変調板２５１の例では複数個の変調パターンを１次元方向に並べており、所望の集光スポット形状を得る変調パターンを１次元方向に移動して選択する。各変調パターンについては、従来の超解像技術や前記実施の形態で説明したもの等を使用する。また機構的な構成上、変調パターンの個数を実施の形態５〜８よりも容易に増やせるので、集光スポット形状を多数切り替えるのに有利である。
【００５２】
図１９に示す変調板２５１の例では複数個の変調パターンを２次元方向に並べており、所望の集光スポット形状を得る変調パターンを２次元方向に移動して選択する。図１９においても図１８に示す変調板２５１と同様に各変調パターンについては、従来の超解像技術や前記実施の形態で説明したもの等を使用する。また機構的な構成上、変調パターンの個数を前記実施の形態５〜８よりも容易に増やせるので、集光スポット形状を多数切り替えるのに有利である。
【００５３】
実施の形態１０．
変調手段を機械的に駆動する光学素子で構成する実施の形態１０を図２０に示す。実施の形態５〜９の場合、透過光の振幅でレーザビームを変調したが、実施の形態１０は位相に変調をかけるものである。従って、透過光に対する屈折率を空間的に変調する変調板を使用する点を除いて、実施の形態１０と実施の形態５〜９とは同様に構成されている。
【００５４】
実施の形態５〜９においては、例えば、光透過率が斜線部分で０、他の部分で１として透過光の振幅を変調した。しかしながら、実施の形態１０のように斜線部分の透過光の感受する屈折率と他の部分の透過光の感受する屈折率に差をつけて透過光の位相を変調しても、実施の形態５〜９と同様に集光スポット形状を制御することが可能である。
【００５５】
尚、実施の形態５〜１０のように機械的に変調手段を切り替える方式は機構が単純で設計製作し易く、また、低コスト化を図ることも期待できる。
【００５６】
実施の形態１１．
図２１に示す実施の形態１１の変調手段は電気的に駆動する光学素子で構成されたものである。変調手段には複数のセグメント３１３〜３１７から成る平面状の変調板３１１を使用した。この場合、変調板３１１の各セグメント３１３〜３１７は外部に設けられた制御回路３１２からの電気信号によって独立に制御する。コリメートビーム１０４は、この変調板３１１を透過する。変調板（液晶スイッチ）３１１は周知のように、制御電極への印加電圧により光透過量を変化させることができるので、各セグメント３１３〜３１７は、各セグメントを透過するコリメートビーム１０４の透過光量を変調することができる。従って、変調板３１１は透過ビームの強度分布に空間変調を与えることができる。
【００５７】
変調板３１１のセグメントの分割パターンの具体的例を図２２に示す。変調板３１１は前述したようにセグメント３１３〜３１７に５分割され、セグメント３１３はコリメートビーム１０４の中央部に配設され、セグメント３１４〜３１７はその周辺部に配設されている。図２２には４通りの変調パターン例が示されている。同図において斜線部分はビームを遮光し、その他の部分はビームを透過させるように設定されている。これにより、図２２（ａ）では縮小した集光スポットを得ることができ、図２２（ｂ）では拡大した集光スポットを得ることができる。また、図２２（ｃ）では縦長の集光スポットを得ることができ、図２２（ｄ）では横長の集光スポットを得ることができる。
【００５８】
尚、変調板３１１のセグメントの分割パターンは、この例に限らず、所望の集光スポット形状が得られるように設計することが可能である。また、変調板３１１の動作は、一般に前記の機械的な手段に比べると切り替え速度が速く、高速な応答が実現できる。
【００５９】
実施の形態１２．
実施の形態１１においては変調板３１１でレーザビームの透過光量を変調したが、実施の形態１２はレーザビームの位相を変調するように構成した。すなわち、実施の形態１２の変調手段は複数のセグメント３２３〜３２７から成る平面状の位相変調器３２１を備えている。位相変調器３２１は、例えばＬｉＮｂｏ3 等の電気光学結晶板と、複数の平行平板電極対で構成される。各電極対は外部に設けられた制御回路３２２からの電気信号によって独立に制御する。コリメートビーム１０４はこの変調板３２１を透過する。電気光学結晶板は周知のように、結晶への印加電界により屈折率を変化させることができるので、各電極対は、占有部分の透過ビームの屈折率に差を与えてその位相を変調し、変調板３２１全体で透過ビームの位相分布に空間変調を与えることができる。
【００６０】
セグメント３２３〜３２７の分割パターンの具体的例として、図２４に４通りの変調パターンの例を示す。変調板３２１は図中の斜線部分とその他の部分とで透過光に所要の位相差が生じるように、制御される。これにより、図２４（ａ）では縮小した集光スポットを得ることができ、図２４（ｂ）では拡大した集光スポットを得ることができる。また、図２４（ｃ）では縦長の集光スポットを得ることができ、図２４（ｄ）では横長の集光スポットを得ることができる。
【００６１】
実施の形態１３．
図２５に複数のセグメント３３３〜３３５から成るバルク状の位相変調器３３１を備えた位相変調手段を示す。位相変調器３３１は、たとえばＫＤＰ等の電気光学結晶板と、平行平板電極対で構成される。電極対は外部の制御回路３３２からの電気信号によって独立に制御する。コリメートビーム１０４は、この変調器３３１を透過する。
【００６２】
セグメント３３３〜３３５の分割の具体的例として、３分割した例を図２６に示す。中央部分のセグメント３３３と両端部分の２つのセグメント３３４に逆向きの電圧Ｖを与えて屈折率に差をつける。これにより、セグメント３３３〜３３５内を透過するコリメートビーム１０４に対する屈折率差により位相を変調し、位相変調手段の出射面での透過ビームの位相分布に空間変調を与える。これにより、実施の形態３と同様の動作原理により、集光スポット形状を制御することができる。
また別の例として、位相変調手段を中央部の１セグメント３３３だけで構成することも可能である。この場合、両側部のセグメント３３４，３３４は屈折率１の空気である。
【００６３】
尚、実施の形態１１〜１３のように電気的な手段によって切り替える方式は、一般的にみて実施の形態５〜１０の機械的な手段に比べると切り替え速度が速く、高速な応答が期待できる。また、この方式は可動部分がないため、高い信頼性も期待できる。
【００６４】
実施の形態１４．
以下に実施の形態１〜１３のビーム集光装置が搭載された光ディスク装置の集光スポット切り替え方法を説明する。現在実用化されているＩＳＯ規格光ディスクのトラックピッチは、前述したように１．６μｍであり、次世代のＩＳＯ規格として検討がすすんでいる光ディスクのトラックピッチは、１．３〜１．４μｍである。また、さらに将来開発されるものとして、トラックピッチが１．２μｍや１．０μｍや０．８μｍの光ディスクが考えられる。
【００６５】
このようにトラックピッチが異なる光ディスクを同一の光ディスク装置で駆動する場合のアルゴリズムを図２７に示す。先ず、光ディスクを光ディスク装置に装着して起動する（ステップ３９９）。次に、ディスク回転数を安定化し（ステップ４００）、レーザを点灯する（ステップ４０１）。次いでフォーカスサーボを引き込み（ステップ４０２）、引き込み完了後コントロールトラックＰＥＰエリアへ移動してＰＥＰのコントロールトラック情報を読み取る（ステップ４０３）。この情報にはトラックピッチに関する情報も含まれている。
次に、読み取られたトラックピッチの値にしたがって集光スポット径の切り替えを行う。これにより、光ディスク装置はトラックピッチに適合した集光スポット径に設定される（ステップ４０４）。続いて、従来どおりトラッキングサーボを引き込み（ステップ４０５）。記録再生可能な状態に入る（ステップ４０６）。
【００６６】
ここで、光ディスク装置に図５に示す実施の形態４の変調手段を使用した場合の集光スポット径のモード設定方法を図２８に基づいて説明する。先ず、ＰＥＰ情報から、駆動したディスクのトラックピッチが１．０μｍであると判明したときは、変調手段１１１でコリメートビーム中央部分を遮光して集光スポット径を縮小する。また、駆動したディスクのトラックピッチが１．６μｍのときは変調手段１１１でコリメートビーム周辺部分を遮光して集光スポット径を拡大する。さらに、駆動したディスクのトラックピッチが１．２μｍのときは変調手段１１１で遮光せず、従来どおりの集光スポット径を得る。
【００６７】
以上に示す方法でトラックピッチに応じて集光スポット径を切り替えることにより、各種トラックピッチの光ディスクを１台の光ディスク装置で駆動できるようになり、規格の異なる光ディスクへの互換性を十分な性能と信頼性をもって確保することが可能になる。
【００６８】
実施の形態１５．
実施の形態１５の集光スポット切り替え方法を説明するアルゴリズムを図２９に示す。実施の形態１５はステップ３９９で光ディスクを起動し、ステップ４０４でトラックピッチに応じた適切な集光スポット径に切り替える処理までは同じである。しかしながら、実施の形態１５はステップ４０４の後、ステップ４１０でトラッキングサーボセンサ信号振幅をモニタ回路４２１（図３０参照）でモニタし、振幅が最大になるように変調手段１１１における変調量を調整する。
【００６９】
前述したセンサ信号振幅のモニタ回路４２１を図３０に示す。光ディスク装置は、ステップ４１０でトラッキングサーボ信号最適化の自動調整によってトラッキングに最適な集光スポット径に設定した後、ステップ４０５で従来どおりトラッキングサーボを引き込み、記録再生可能な状態に入る（ステップ４０６）。なおトラッキングサーボ信号として、トラック横断信号をモニタすることも、個別のセンサ信号をモニタすることも、その差をとったトラッキングエラー信号をモニタすることも可能である。
【００７０】
実施の形態１５に示す処理を実行することにより、光ディスク媒体と光ディスク装置の組み合わせ毎に異なるトラッキングサーボ信号特性のばらつきを吸収し、サーボ安定性マージンを拡大することが可能になる。さらに、トラッキングエラー信号波形が最適化されると、トラックシーク時のミスカウントを防止することにも効果があり、平均シーク時間の短縮とシーク信頼性の向上も実現される。
【００７１】
実施の形態１６．
図３１に実施の形態１６の集光スポット切り替え方法を説明したアルゴリズムを示す。実施の形態１６はステップ３９９で光ディスクを起動し、ステップ４０５でトラッキングサーボを引き込むまでは同じである。しかしながら実施の形態１６はステップ４０５の後、ステップ４１１でエンボス信号の再生信号振幅をモニタ回路４３１（図３２参照）でモニタし、最高周波数の再生信号の振幅が最大になるように変調手段１１１における変調量を調整する。前述した再生信号振幅のモニタ回路４３１を図３２に示す。光ディスク装置は、ステップ４１１で再生信号最適化の自動調整によってデータ再生に最適な集光スポット径に設定した後、ステップ４０６で従来どおりの記録再生可能な状態に入る。
【００７２】
ここで、実施の形態１１に示した変調手段を使用すれば、変調手段で集光スポット形状を調整する際、トラッキングサーボ信号と再生信号それぞれの振幅を独立に調整可能となる。そして、実施の形態１６に示す処理を実行することにより、光ディスク媒体と光ディスク装置の組み合わせ毎に異なるデータ再生信号特性のばらつきを吸収し、再生信号検出マージンを拡大することが可能になる。この結果、記録密度やトラックピッチの異なる、多世代、多種類の規格の光ディスクに対して信号の読取り精度を向上することが可能になり、誤りが少なく信頼性の高いデータ再生が実現される。
【００７３】
実施の形態１７．
実施の形態１４〜１６においては、コントロールトラック情報に基づいて集光スポットに切り替える場合について説明したが、これとは別に、光ディスクの駆動状態に応じて集光スポットを切り替えることによって、光ディスク装置の性能向上が可能である。
【００７４】
図３３に光ディスク駆動状態に対応した集光スポット５１１の形状とトラック５１２の寸法の関係を示す。シーク時には、シークに最適なトラッキングサーボ信号すなわちトラック横断信号が得られる集光スポット幅になるように、実施の形態１５に示したような方法等で変調手段１１１の変調量を設定する。また、再生時には、最適な再生信号が得られる集光スポット長および幅になるように、実施の形態１６に示したような方法等で変調手段１１１の変調量を設定する。
【００７５】
さらに、記録時はスポット径を絞らない。ここで、変調手段１１１でコリメートビームに振幅変調をかける方式では、既に指摘したようにレーザパワーの損失が大きい。一方、光ディスク装置では、半導体レーザの最大出力パワーの限界によってデータ転送速度（すなわちディスク回転数）の上限が制限され、あるいは、記録媒体で使用可能な記録パワーの上限が抑えられる。これにより、レーザパワーの損失は性能上問題が大きい。したがって記録時や消去時には、できれば振幅変調をかけずに駆動するのが望ましい。ところで、記録時の集光スポット径は、再生時ほど縮小しなくとも動作可能である。本実施の形態に示す方法によれば、再生時には集光スポット径を縮小しつつ記録時には振幅変調をかけない動作が可能になった。
消去時には記録マークの存在する記録トラック幅一杯まで集光スポット幅を拡大する。
【００７６】
以上に示した方法によって、実施の形態１７は記録密度やトラックピッチの異なる多世代、多種類の規格の光ディスクに対して、信号の読取り精度の向上による誤りの少ない信頼性の高いデータ再生と、消し残りの防止によるクロストークのない信頼性の高いデータ記録を実現した。また、実施の形態１７によれば、高密度記録データの再生に超解像技術を使用しながら高出力の記録パワーも可能とした。これにより、規格の異なる多種の光ディスクへの互換性をさらに強化することが可能になる。
【００７７】
実施の形態１８．
実施の形態１８は集光スポット切り替え機能を適用して性能を向上させる点で実施の形態１７と共通する。しかしながら、実施の形態１８はデータ再生時に誤りが多く再生不能になったセクタに対して、再度読出すリトライ処理がなされるときに集光スポット形状を変化させる方法を採用している点で実施の形態１７と相違する。
【００７８】
図３４に実施の形態１８のアルゴリズムを示す。図３４のアルゴリズムによれば、ステップ４１５でセクタ読取りが実行され、ステップ４１６でセクタ読取りが正常でないと判定された場合、ステップ４１７で集光スポット形状が変更され、ステップ４１５で再度セクタ読取りが実行される。このように、実施の形態１８は最適と判断した集光スポットを得られるように設定していた変調信号を、あらかじめ定めておいた範囲で変化させ、リトライ再生を行う。これにより、信号の読取り不能状態を回避できる可能性が増加し、データ保存の信頼性の向上を図ることができる。
【００７９】
実施の形態１９．
図３６には実施の形態１４で示したコントロールトラックＰＥＰエリアの記録ピット５３１の形状とこの上を走査する集光スポット５１１、および、このときの再生信号波形を示す。
【００８０】
情報は、非常に低密度で記録されており、記録ピット５３１のある領域と全く無い領域が非常に長い間隔で交替するような方式で符号化されている。記録ピット５３１は直径０．４μｍ、周期０．８μｍ程度で規則的に並んでいる。そして、従来は記録ピット５３１に比べて大きな径の集光スポットで再生していたので問題がなかった。しかしながら、集光スポット５１１が縮小されると、記録ピットのある領域を再生していながら、丁度集光スポット５１１が記録ピット列の間を通過している時は再生信号が得られず、再生データが誤まるという問題がある。
【００８１】
そこで実施の形態１９では、図３５のアルゴリズムに示すようにステップ４１８でＰＥＰエリア再生時に集光スポット径を拡大した。この結果、いかなる光ディスクに対しても、コントロールトラックＰＥＰエリアの読取り精度を向上することが可能になり、平均駆動開始時間が短縮された。ＰＥＰエリアは光ディスクの最も基本的なパラメータを収容した部分であり、ディスク起動時にまず、読取る部分である。その読取りの信頼性を向上できる効果は大きい。
【００８２】
実施の形態２０．
実施の形態２０は集光スポット径を縦横両方向に拡大して、集光するための対物レンズ１０５（図１参照）の開口数ＮＡを等価的に減少させるものである。周知のごとくレンズによる集光系では、開口数ＮＡが大きくなるほど焦点深度が浅くなる。
【００８３】
一般に光ディスク装置のフォーカス制御系においては、開口数ＮＡが大きくなり焦点深度が浅くなるほど、ディスクの面ぶれやディスク面の傾斜に対するフォーカスサーボの追従能力が落ちる。特に、フォーカス引き込み時は、これらの面ぶれを始めとする外乱に弱く、フォーカス引き込み失敗が起こりやすい。失敗時はリトライすることになり、起動時間が延びる。
【００８４】
そこで実施の形態２０では、図３７のアルゴリズムに示すように、フォーカス引き込み開始（ステップ４０２）以前に集光スポット径を縦横両方向に拡大するように設定し（ステップ４１９）、その状態でフォーカス引き込みを完了させるようにした。そのあと実施の形態１４〜１６にしたがって集光スポットを設定する（ステップ４２０）。この結果、フォーカス引き込みの安定性が向上することになり、平均駆動開始時間が短縮された。また、いかなる光ディスクに対しても、フォーカス引き込み範囲を拡大することが可能になるので、ディスクの受容範囲を拡大することができ、互換性、汎用性の向上にもなる。
【００８５】
【発明の効果】
以上のように、この発明によれば、レーザビ一ムを出射するレーザ発振器と、前記レーザ発振器と当該レーザ発振器から出射される前記レーザビームが集光される光記録媒体との間の光路中にあって、前記集光の状態を変化させる変調手段と、前記光記録媒体の再生時に前記光記録媒体に含まれるセクタの読取りが正常かどうかを検知して検知信号を出力する検知手段とを備え、前記検知信号に基づいて前記変調手段を制御して前記集光の状態を変化させるように構成したので、信号の読取り不能状態を回避できる可能性が増加し、データ保存の信頼性の向上を図ることができる効果がある。
【図面の簡単な説明】
【図１】この発明に係る集光スポット形状可変型光ビーム集光装置の全体図である。
【図２】この発明に係る透過率可変変調板の平面図である。
【図３】この発明に係る空間振幅変調する変調手段の平面図である。
【図４】この発明に係る空間位相変調する変調手段の平面図である。
【図５】この発明に係る変調手段の空間変調パターンの平面図である。
【図６】この発明に係る変調手段の空間変調パターンの平面図である。
【図７】この発明に係る変調手段の空間変調パターンの平面図である。
【図８】この発明に係る回転変調板を用いた空間振幅変調を説明した説明図である。
【図９】この発明に係る回転変調板の平面図である。
【図１０】この発明に係る回転変調板の平面図である。
【図１１】この発明に係る２面回転変調板の平面図，正面図，側面図である。
【図１２】この発明に係る筒状回転変調板を用いた空間振幅変調を説明した説明図である。
【図１３】この発明に係る角筒状回転変調板の斜視図である。
【図１４】この発明に係る円筒状回転変調板の斜視図である。
【図１５】この発明に係る２軸回転変調板の斜視図である。
【図１６】この発明に係る２枚１組の回転変調板の斜視図である。
【図１７】この発明に係る並進移動変調板を用いた空間振幅変調を説明した説明図である。
【図１８】この発明に係る１次元並進移動用変調板の平面図である。
【図１９】この発明に係る２次元並進移動用変調板の平面図である。
【図２０】この発明に係る変調手段の位相変調のかけ方を説明した説明図である。
【図２１】この発明に係る平面状の液晶スイッチを用いた空間振幅変調を説明した説明図である。
【図２２】この発明に係る液晶スイッチの制御法を説明した説明図である。
【図２３】この発明に係る平面状位相変調器を用いた空間位相変調を説明した説明図である。
【図２４】この発明に係る平面状位相変調器の制御法を説明した説明図である。
【図２５】この発明に係るバルク状位相変調器を用いた空間位相変調を説明した説明図である。
【図２６】この発明に係るバルク状位相変調器の側面図である。
【図２７】この発明に係る多種トラックピッチに対する互換性確保処理法を説明したアルゴリズムを示す図である。
【図２８】この発明に係るトラックピッチと集光スポット径の設定法を説明した説明図である。
【図２９】この発明に係るトラッキング用の集光スポット最適化処理法を説明したアルゴリズムを示す図である。
【図３０】この発明に係るトラッキングサーボセンサ信号の振幅モニタ回路のブロック図である。
【図３１】この発明に係る信号再生用の集光スポット最適化処理法を説明したアルゴリズムを示す図である。
【図３２】この発明に係る再生信号の振幅モニタ回路のブロック図である。
【図３３】この発明に係る光ディスク駆動状態別の集光スポット形状制御を説明した説明図である。
【図３４】この発明に係る集光スポット径の調節による再生リトライ処理能力向上法を説明したアルゴリズムを示す図である。
【図３５】この発明に係る集光スポット径の調節によるＰＥＰ読取り能力向上処理法を説明したアルゴリズムを示す図である。
【図３６】この発明に係るＰＥＰ読取り時の集光スポットと記録ピットの位置関係を説明した説明図である。
【図３７】この発明に係る集光スポット径の調節によるフォーカス引き込み安定化処理法を説明したアルゴリズムを示す図である。
【図３８】従来の超解像光ビーム集光装置の全体図である。
【図３９】従来の超解像による集光スポット径縮小の原理を説明した説明図である。
【図４０】従来の遮光板幅と集光スポット径の関係を説明した説明図である。
【符号の説明】
１０１  レーザ発振器、１０２  コリメートレンズ、１０４  コリメートビーム、１０５  対物レンズ、１０６  記録媒体（光記録媒体）、１１０  制御手段、１１１，２２１，２３１  変調手段、２１１，２１２，２１３，２４１，２４２，２５１，３１１，３２１  変調板、１１２，２１１ｂ  中央部（中央部に位置決めされた変調部）、１１３，２１１ｃ  側部（その他の部分に位置決めされた変調部）、３１３，３１４，３１５，３１６，３１７，３２３，３２４，３２５，３２６，３２７  セグメント。
【図１】
0003621391.tif 000002
【図２】
0003621391.tif 000003
【図３】
0003621391.tif 000004
【図４】
0003621391.tif 000005
【図５】
0003621391.tif 000006
【図６】
0003621391.tif 000007
【図７】
0003621391.tif 000008
【図８】
0003621391.tif 000009
【図９】
0003621391.tif 000010
【図１０】
0003621391.tif 000011
【図１１】
0003621391.tif 000012
【図１２】
0003621391.tif 000013
【図１３】
0003621391.tif 000014
【図１４】
0003621391.tif 000015
【図１５】
0003621391.tif 000016
【図１６】
0003621391.tif 000017
【図１７】
0003621391.tif 000018
【図１８】
0003621391.tif 000019
【図１９】
0003621391.tif 000020
【図２０】
0003621391.tif 000021
【図２１】
0003621391.tif 000022
【図２２】
0003621391.tif 000023
【図２３】
0003621391.tif 000024
【図２４】
0003621391.tif 000025
【図２５】
0003621391.tif 000026
【図２６】
0003621391.tif 000027
【図２７】
0003621391.tif 000028
【図２８】
0003621391.tif 000029
【図２９】
0003621391.tif 000030
【図３０】
0003621391.tif 000031
【図３１】
0003621391.tif 000032
【図３２】
0003621391.tif 000033
【図３３】
0003621391.tif 000034
【図３４】
0003621391.tif 000035
【図３５】
0003621391.tif 000036
【図３６】
0003621391.tif 000037
【図３７】
0003621391.tif 000038
【図３８】
0003621391.tif 000039
【図３９】
0003621391.tif 000040
【図４０】
0003621391.tif 000041